(57)【特許請求の範囲】
【請求項１】
電力管理装置の駆動容量を拡張するための方法であって、
前記電力管理装置を介して負荷の動作のためのエネルギー要求を決定すること、
前記負荷の前記動作のための前記エネルギー要求を電力管理集積回路（ＰＭＩＣ）に含まれる第１の電源装置の能力と比較すること、
前記エネルギー要求が前記第１の電源装置の前記エネルギー要求より大きい場合、より高い容量の第２の電源装置にエネルギー配送を切替えることと、ここにおいて前記第２の電源装置は前記ＰＭＩＣに対して外部にある、
前記エネルギー要求が前記第１の電源装置の前記能力より大きくない場合、前記負荷の前記動作のための前記第２の電源装置ではなく前記第１の電源装置を利用することと、
ここにおいて前記第２の電源装置は頻繁な切替が要求されるとき低電圧レベルでスタンバイモードに保持される、
を備える、電力管理装置の駆動容量を拡張する方法。
【請求項２】
前記第１の電源装置は、前記第２の電源装置が作動されると不作動となる、請求項１の前記方法。
【請求項３】
前記第２の電源装置が前記負荷のための出力電流を供給する、請求項１の前記方法。
【請求項４】
エネルギー配送を切り換えることは、より高い容量の前記第２の電源装置が前記電力管理装置の出力電圧に達するときに開始する、請求項１の前記方法。
【請求項５】
エネルギー配送を切り換えることは、前記第２の電源装置が負荷に全ての電流を供給する時に終了する、請求項４の前記方法。
【請求項６】
前記第２の電源装置が前記電力管理装置によって制御される、請求項１の前記方法。
【請求項７】
電力管理装置の駆動容量を拡張する装置であって、
電力管理集積回路（ＰＭＩＣ）に含まれる第１の電源装置と、
前記第１の電源装置に並列接続された第２の電源装置と、ここにおいて前記第２の電源装置は前記ＰＭＩＣに対して外部にあり、前記第２の電源装置を介してより高い電圧モードを動作するため前記ＰＭＩＣから信号を受けるように構成される、
前記第１の電源装置に接続している第１のインダクタ及び前記第１のインダクタに接続しているキャパシタと、
前記第２の電源装置に接続している第２のインダクタ及び前記第２のインダクタに接続しているキャパシタと、
を備え、
ここにおいて前記第２の電源装置は頻繁な切替が要求されるとき低電圧レベルでスタンバイモードに保持される、電力管理装置の駆動容量を拡張する装置。
【請求項８】
前記第１のインダクタに接続されている前記キャパシタ又は前記第２のインダクタに接続されている前記キャパシタの少なくとも一方は電圧出力ノードでの共通キャパシタである、請求項７の前記装置。
【請求項９】
前記第１の電源装置はバックレギュレイターを備える、請求項７の前記装置。
【請求項１０】
電力管理装置の駆動容量を拡張するための装置であって、
前記電力管理装置を介して負荷の動作のためのエネルギー要求を決定するための手段と、
前記負荷の前記動作のための前記エネルギー要求を電力管理集積回路（ＰＭＩＣ）に含まれる第１の電源装置の能力と比較するための手段と、
前記エネルギー要求が前記第１の電源装置の前記能力より大きい場合、より高い容量の第２の電源装置にエネルギー配送を切替えるための手段と、ここにおいて前記第２の電源装置は前記ＰＭＩＣに対して外部にある、
前記エネルギー要求が前記第１の電源装置の前記能力より大きくない場合、前記負荷の前記動作のための前記第２の電源装置ではなく前記第１の電源装置を利用する手段と、
頻繁な切替が要求されるとき前記第２の電源装置を低電圧レベルでスタンバイモードに保持するための手段と、
を備える、電力管理装置の駆動容量を拡張する装置。
【請求項１１】
エネルギー配送を切替えるための前記手段は、前記第２の電源装置が一度作動されると前記電力管理装置を不作動にするための手段を含む、請求項１０の前記装置。
【請求項１２】
エネルギー配送を切換えるための前記手段は、より高い容量の前記第２の電源装置が前記電力管理装置の出力電圧に達すると開始する、請求項１０の前記装置。
【請求項１３】
エネルギー配送を切換えるための前記手段が電力管理装置によって制御される、請求項１１の前記装置。
【請求項１４】
プロセッサによって実行されると、前記プロセッサに
電力管理装置を介して負荷の動作のためのエネルギー要求を決定させることと、
前記負荷の前記動作のための前記エネルギー要求を電力管理集積回路（ＰＭＩＣ）に含まれる第１の電源装置の能力と比較することと、
前記エネルギー要求が前記第１の電源装置の前記能力より大きい場合、より高い容量の第２の電源装置にエネルギー配送を切替えさせることと、ここにおいて、前記第２の電源装置は前記ＰＭＩＣに対して外部にある、
前記エネルギー要求が前記第１の電源装置の前記能力より大きくない場合、前記負荷の前記動作のための前記第２の電源装置ではなく前記第１の電源装置を利用させることと、
頻繁な切替が要求されるとき前記第２の電源装置が低電圧レベルでスタンバイモードに保持されることを保持させることと、
のステップを実行させる命令を含むコンピュータ可読記憶媒体。
【請求項１５】
前記第２の電源装置が一度作動されると、前記電力管理装置を不作動にするための命令を更に含む、請求項１４の前記コンピュータ可読記憶媒体。
【請求項１６】
より高い容量の前記第２の電源装置が前記電力管理装置の出力電圧に達すると切替エネルギー配送を開始するための命令を更に含む、請求項１４の前記コンピュータ可読記憶媒体。
【請求項１７】
前記第２の電源装置が負荷に全ての電流を供給するとエネルギー配送を切替えることを終了する命令を更に含む、請求項１４の前記コンピュータ可読記憶媒体。
【請求項１８】
前記電力管理装置によって前記第２の電源装置を制御するための命令を更に含む、請求項１４の前記コンピュータ可読記憶媒体。
【発明の詳細な説明】
【技術分野】
【０００１】
［0001]本出願は、参照により本明細書に明確に組み込まれる、2013年2月19日付け出願された、「高度電源能力のための非同期バックコンバータの平行配列」と題する米国非仮出願番号13/770,734の優先権を主張する。
【０００２】
［0002]現在の開示は、一般に無線通信方式のための電力配送、特に、高度電力能力背景のための非同期バックコンバータの平行配列に関する。
【背景技術】
【０００３】
［0003]無線通信方式は、様々な形の通信内容（例えば、音声、データ、その他）を提供するために広く展開される。これらのシステムは、有効システム資源（例えば、バンド幅及び送信電力）を共有することによって多数のユーザとの通信をサポートすることができるマルチアクセス・システムであってもよい。この種のマルチアクセス・システムの実施例は符号分割多重アクセス（CDMA）システム、時分割多元接続（TDMA）システム、周波数分割多元接続（FDMA）、3GPP Long Term Evolution（LTE）システム及び直交周波数分割多重アクセス（OFDMA）システム及びユニバーサル・モバイル・テレコミュニケーション（UMTS）システムを含む。
【０００４】
［0004]携帯電話が動作する無線システムに関係なく、電力管理は正しい動作にきわめて重大である。電源は、機能及びアプリケーション毎に要求に応じて必要な電流を供給できるようにしなければならない。電源管理集積回路（PMIC）の設計は、モバイル機器設計の重要な部分である。無線機器はますます動作を実行し、これまでに増加しているアプリケーションをランし、効率的な電力管理が更に重要になる。
【０００５】
［0005]現代の携帯電話は、多重搬送波及び動作モードをサポートする。加えて、多くの電話は、付加サービス及び能力のための様々な専門アプリケーションをランさせることができる。これらの追加された特徴及び機能性の全ては電力を必要とし、必要とされる電力のレベルは所定の時間でランする機能及びアプリケーションに依存して変動する可能性がある。これらの変動要求は、携帯電話の電源の選択及び動作を複雑にする。
【０００６】
［0006]設計過程の間、負荷の電流消費がプラットフォーム開発プロセスにおいて最近増加していることが、一般的である。負荷は携帯電話プロセッサ（ＭＳＭ）、又は電圧及び電流によって駆動され、数学的関係を有する他のいかなる負荷でもあってもよい。この増加はPMICの再設計を余儀なくされるかもしれなく、それは製品の出荷を遅延させるかもしれないコストおよび時間がかかる。
【０００７】
［0007]ＰＭＩＣを完全に再設計しないでより高い電流を提供するために既存のPMIC問題解決を「アップグレードする」方法装置を技術的に必要である。
【発明の概要】
【０００８】
［0008]本願明細書において開示される実施形態は、電力管理装置の駆動容量（driving capacity）を拡張するための方法と装置を提供する。方法は、電力管理装置の動作のためのエネルギー要求（energy requirement）を決定することを含む。次に、方法は電力管理装置の動作のエネルギー要求を第1の電源装置の能力と比較する。エネルギー要求が第1の電源装置のエネルギー必要条件より大きい場合、エネルギーはより高い静電容量の第２の電源装置に切り替えられる。
【０００９】
［0009]更なる実施形態は、電力管理装置の駆動容量を拡張するための装置を提供する。装置は、第1の電源装置と;第1の電源装置と並列に接続した第２の電源装置と;第1の電源装置に接続される第1のインダクタと第1のインダクタに接続されるキャパシタと;及び、第２の電源装置に接続される第2のインダクタと第２のインダクタに接続されるキャパシタと、を含む。
【００１０】
［0010]なお更なる実施形態は、電力管理装置の駆動容量を延ばす装置を提供する。装置は、電力管理装置の動作のエネルギー要求を決定するための手段と;電力管理装置の動作のエネルギー要求を第1の電源装置の能力（capability）と比較するための手段と;前記エネルギー要求が前記第1の電源装置の前記エネルギー要求より大きい場合、より高い容量（capacity）の第２の電源装置にエネルギー配送を切替える手段と；を備える。
【００１１】
［0011]まだ、更なる実施形態は、プロセッサによって実行されたとき、電力管理装置の動作のためのエネルギー要求を決定するステップと;電力管理装置の動作のための前記エネルギー要求を第1の電源装置の能力と比較するステップと;前記エネルギー要求が第1の電源装置のエネルギー要求より大きい場合、より高い容量の第２の電源装置にエネルギー配送を切替えるステップと、を前記プロセッサに実行させる命令を含む非一時的コンピュータ可読の媒体を提供する。
【図面の簡単な説明】
【００１２】
【図１】［0012]図1は、開示の一実施形態に従ったPMICチップ及び外部バックレギュレイターを示す。
【図２】［0013]図２は、開示の一実施形態に従った、非ターボ・モードからターボ・モードへのシフト及び非ターボ・モードへの復帰を示す。
【図３】［0014]図３は、開示の一実施形態に従ったPMIC及び外部バックレギュレイターの合成出力電圧を示す。
【図４】［0015]図４は、開示の一実施形態に従った、非ターボ・モードからターボ・モードへのシフト及び非ターボ・モードへの復帰の流れ図である。
【発明を実施するための形態】
【００１３】
［0016]さまざまな態様は、図面を参照して説明される。以下の記載において、説明の目的のために、多数の具体的な詳細が、一つ以上の態様の完全な理解を提供するために記載される。しかし、この種の１つ又は複数の形態はこれらの具体的な詳細なしで実施され得ることは明らかである。
【００１４】
［0017]本出願発明において用いられているように、用語「構成要素」、「モジュール」、「システム」などは、例えば、コンピュータ関連エンティテイを含むことを意図しているが、ハードウェア、ファームウェア、ハードウェアとソフトウェアの組合せ、ソフトウェア又は実行中のソフトウェアに限定されない。例えば、コンポーネントは、制限されないが、プロセッサで実行する処理、プロセッサ、オブジェクト、実行ファイル、実行のスレッド、プログラム及び／又はコンピュータであってもよい。実例として、コンピュータ上で実行するアプリケーション及びコンピュータ機器は、構成要素であっても良い。一つ以上の構成要素は実行のプロセス及び／又はスレッド内に存在でき、１つのコンポーネントは、１つのコンピュータに局部集中化されてもよく及び／又は２台以上のコンピュータの間で分散されてもよい。加えて、これらの構成要素は、さまざまなデータ構造を記憶したコンピュータ可読媒体から実行することができる。構成要素は、一つ以上のデータパケット（例えばローカル・システム、分散システム及び／又は信号によって他のシステムとインターネットのようなネットワークを介した他の構成要素と対話する１つの構成要素からのデータ）を有する信号に従うようにローカル及び／又は遠隔プロセスによって通信することができる。
【００１５】
［0018 ]更に、さまざまな態様は、有線端末又はワイヤレス端末でありえる端末と関連してここに説明される。端末は、また、システム、装置、加入者ユニット、加入者局、移動局、モバイル、モバイル機器、遠隔局、遠隔端末、アクセス端末、ユーザ端末、通信機器、ユーザーエージェント、ユーザ機器又はユーザ装置（ＵＥ）と呼ぶことができる。無線端末は、移動電話、衛星電話、コードレス電話、セッション初期化プロトコル（ＳＩＰ）電話、ワイヤレスローカルループ（ＷＬＬ）局、パーソナルデジタルアシスタント（ＰＤＡ）、ワイヤレス接続能力（wireless connection capability）を有する携帯機器、コンピュータ機器又は他の処理機器が無線モデムに接続した無線自局ループ（ＷＬＬ）であってもよい。更に、種々の態様は、基地局と関連してここに記載されている。基地局は、無電端末(複数)と通信するために利用されることができ、また、アクセスポイント、ノードＢ又は他の用語で称してもよい。
【００１６】
［0019]更に用語「又は」は排他的な「又は」よりも包括的な「又は」を意味することを意図している。即ち、特定されない限り、そうでなければ、又は内容から明らかでなければ、語句「ＸはＡ又はＢを採用する」は自然な包括的置換のいずれかを意味することを意図している。即ち、語句「Ｘは、Ａ又はＢを採用する」は以下の例のいずれかによって満たされる：Ｘは、Ａを使用する;Ｘは、Ｂを使用する;又は、ＸはＡ及びＢを使用する。加えて、本出願及び添付の請求項に使用されるような冠詞「ａ」及び「an」は、特定されているのではなく又は単数形に向けられる内容から明白でなければ、「１つ以上」を意味するために一般に解釈されなければならない。
【００１７】
［0020]既存のＰＭＩＣは、適当な外部バックレギュレイター（external buck regulator）を追加することによってより高い電流を提供するために「アップグレード」され得る。この実施形態は、必要な時だけ増加する電流容量（current capacity）を提供しながらＰＭＩＣの既存の節電特性（power saving features）を保つ。これはより追加の過熱を生成するより高い電流が必ずしも「オン」となるとは限らないので、更により良い冷却が可能となる。これは、並列に２つのバックコンバータを用いて達成される。バック1（ＰＭＩＣ）は、通常の又は「非ターボ」動作モードのためにエネルギーを供給する。ＰＭＩＣに外部であるバック２は、高性能が必要なときはいつでも起動される（ターボ・モード）。より高い出力電圧を提供するバックは、プロセッサ又は負荷に全ての出力電流を供給する。不活性なバック（inactive buck）は、合成された出力がそのバックの動作閾値を上回るので、自動的にスタンバイモードに入る。
【００１８】
［0021]バックコンバータは、減圧ＤＣ／ＤＣコンバータ（step-down DC to DC converter）である。設計は昇圧ブーストコンバータ(step up boost converter)と類似し、ブーストコンバータと類似しており、それは、トランジスタ及びダイオード並びにインダクタ及びコンデンサである２つのスイッチを使用するスイッチモード電源装置である。
【００１９】
［0022]ＤＣ電源の電圧を減らす最も単純な方法はリニアーレギュレイターを使用することである。しかし、これは、リニアーレギュレイターが熱として過剰電力を消費するので、熱の増加を導くかもしれない。バックコンバータは、全く効率的な、おそらく集積回路に対して９５％と同程度の極めて効率的であり、主電圧を特定の構成要素（例えば、プロセッサ）によって必要とされるより小さい値に変換するためにしばしば用いられる。
【００２０】
［0023]動作において、バックコンバータはインダクタとインダクタを制御する２つのスイッチにより構成される。バックコンバータは、インダクタにエネルギーを蓄積するためにインダクタを電源電圧に接続することと、インダクタを負荷に放電することとを交互に行う。
【００２１】
［0024]バックコンバータの主要な概念は、インダクタが電流の変化を許すのを「嫌う」ということである。スイッチが「オフ」位置にあるときに、回路の電流はゼロである。スイッチが最初に閉成されると、電流は増加し始めるが、インダクタはゼロから変化するのを嫌い、電圧を下げることによって増加に抗しようとする。この電圧降下は、電源の電圧に反対に作用し、従って、負荷間の正味の電圧（net voltage）を減少する。時間とともに、インダクタは、電流が、それが低下する電圧を減少すること及びそれによって負荷に現れる電圧を増やすことによってゆっくり増加することを可能にする。この間に、インダクタは磁界の形でエネルギーを蓄積する。
【００２２】
［0025]インダクタが完全に充電される前に、スイッチが開成されれば、そのときインダクタ間に電圧降下が常にあるので、負荷に現れる正味の電圧は常に入力電圧未満である。
【００２３】
［0026]バックの概念は、ここで記載されている実施形態に適用され、更に詳細に下で検討される。
【００２４】
［0027]図１はＰＭＩＣチップ及び負荷に供給される電流を一時的に増加するために使用される外部バックレギュレイターを示す。アセンブリ１００は、ＰＭＩＣ１０２及び外部バック１０４を含む。ＰＭＩＣ１０２は、インダクタ１０６に入力を提供する。インダクタ１０６は出力電圧を提供し、またキャパシタ１１０を介して接地に接続される。外部バック１０４は、インダクタ１０８に入力を提供する。接地ピン入力及び出力は、（指示子Ｕ１を有する）ＰＭＩＣ１０２と外部バックレギュレイター１０４との間に接続を提供する。定義済みの負荷シフト（defined load shifts）は、動作中のバック電圧設定を変えることによって実行される。
【００２５】
［0028]図２は、非ターボ・モードからターボ・モードに、そして、非ターボ・モードに戻るシフトを示している。図２に示すように、非ターボ・モードにおいて、ＰＭＩＣ１０２は負荷によって必要とされる全電流を提供する。負荷シフトは、外部バック１０４が同じ出力電圧に達した時に開始し、合成出力をより高いレベルに押し上げる。外部バック１０４が全ての電流を提供するとロード・シフトは終了し、ＰＭＩＣ１０２はスタンバイモード（高Ｚ）に入る。
【００２６】
［0029]一旦付加電流の必要性、即ち、ターボ・モードが終わると、外部バック１０４はその電圧を下げ始める。この電圧降下は、共通出力電圧ノードを電圧のアンダーシュートから保護するために２つの段階で生じる。ＰＭＩＣ１０２は、自動的にスタンバイモードに留まり、負荷電流を出力することを引き受ける。
【００２７】
［0030]ＰＭＩＣ１０２から外部バック１０４（入口シーケンス(entry sequence)）への滑らかな電流シフトは必要され、その一方で、その逆も出口シーケンス（exit sequence）に対しても言える。これは、外部バックの２つの出力電圧を用いて達成される。これらの出力電圧は、ＰＭＩＣ１０２の値より若干高く及び若干低くなるように選択される。これは、２つの独立したワーキングブロック間の相互作用を防止する。この電圧マージン（ｄＵ）は、安定性を確実にする。出力電流は、中断しないで全体のエントリ中に出口シーケンスに提供し得る。
【００２８】
［0031]ＰＭＩＣ１０２及び外部バック１０４が同じ出力電圧を提供している場合、電流共有が起こり得る。これは、出力電圧で見つかる増加するリップルとなる。これは、ＰＭＩＣ１０２を有することによって避けることができ、外部バック１０４が異なる出力電圧を提供する。外部バック１０４が下位レベル設定を使用せずに完全にスイッチを遮断すれば、臨界電圧アンダーシュート（critical voltage undershoots）が生じるかもしれない。この電圧アンダーシュートは、ＰＭＩＣ１０２の再活性化時間（reactivation time）までに生じる。
【００２９】
［0032]外部バック１０４のオフ状態が、任意であり、現在の節減のために使用され得る。ターボ・モードと非ターボ・モードとの間で速い又は頻繁な変化が必要な場合、外部バック１０４は必要なときに容易に利用できるために低電圧レベルを保つことができる。
【００３０】
［0033]更なる実施形態は、外部バック１０４がＰＭＩＣ１０２によって直接制御されることができることを提供するが、この制御はＰＭＩＣ１０２だけに限定される必要はない。
【００３１】
［0034]なお更なる実施形態は、外部制御が主装置プロセッサによって提供されることができることを提供する。
【００３２】
［0035]図３は、ＰＭＩＣ１０２及び外部バック１０４（Ｕ１＋Ｕ２）の合成された出力電圧を示し、更に外部バック１０４（Ｕ２）のための制御信号を示す。ここに記載されている実施形態の動作が始まる前に、ＰＭＩＣ１０２は通常のモードで所定のレベルまで電流量を上げる。ステップ1において、外部バック１０４は有効にされる。ステップ２において、活性化信号・電圧選択器（activation signal and voltage selector）、ＥＮ及びＶＳＥＬは、より高い電圧モードを起動するために設定される。ＰＭＩＣ１０２の電圧は、それからステップ３の所定のレベルに増加される。この電圧は、ターボ・モードにおいて提供される電圧レベル未満である。ステップ４において、出力電圧Ｖｏｕｔは、ターボ・モード・レベルに達する。その時点で、負荷電流は外部バック１０４によって駆動される。
【００３３】
［0036]ターボ・モードへのエントリは、ステップ５で起こる。出力電圧は安定したとき、ターボ・モードは所定の時間の経過後にステップ６で準備できる。この時点で、負荷電流は外部バック１０４によって駆動されるＰＭＩＣ１０２の動作値より上に増加することができる。ステップ7において、動作はターボ・モードにあり、負荷は機能する。ターボ・モードに留まるために、出力電圧（Ｖｏｕｔ）は、ＶＳＥＬ＝０に設定することによって円滑に減少すされる。ステップ８において、ＰＭＩＣ１０２は再び負荷を引き受け、負荷に電流を供給する。ステップ９で、外部バック１０４は所定の時間後にスイッチを切られる。ステップ１０において、ＰＭＩＣ１０２は通常のモードでもう一度動作する。
【００３４】
［0037]図３は、合成された電圧出力が１．１ボルトを超えるであるときはいつでも、外部バックが電流を負荷に提供することを示す。当業者は、対応して異なる電流及び電圧必要条件で、ここに記載されている実施形態が外部機器に適応されることができること認めるであろう。電圧及び電流値は、さまざまな実施形態の動作の実施例としてだけ提供され、実施形態は、提示されているサンプル値に限定されるように解釈されることはない。
【００３５】
［0038]図４は、高度な電源能力のための非同期バックコンバータの並列配列の動作方法のフローチャートを提供している。方法４００は、ステップ４０２においてＰＭＩＣのためのエネルギー要求を決定することで始まる。このエネルギー要求は、その後ステップ４０４においてＰＭＩＣ能力と比較される。ステップ４０６において、エネルギー要求がＰＭＩＣ能力より大きいかどうか決定される。エネルギー要求がＰＭＩＣ能力より大きくない場合、動作はステップ４０８においてＰＭＩＣにおいてだけである。エネルギー要求がＰＭＩＣ能力より大きい場合、電源配送はステップ４１０において外部バックに切り換えられる。
【００３６】
［0039]開示された処理におけるステップの特定の順序又は階層は、例示的なアプローチの一例であるということが理解されるべきである。設計の優先性に基づいて、これらの処理におけるステップの特定の順序又は階層は並べ替えられうるということが理解される。添付の方法の請求項は、例示的な順序でさまざまなステップの要素を提示しているが、提示された特定の順序又は階層に限定されることを意図するものではない。
【００３７】
［0040]先の説明は、当業者に、本明細書に説明された多様な態様を実現することを可能にさせるために提供されている。これらの態様への多様な変更は、当業者に容易に明らかであり、本明細書に定義される包括的な原理は、他の態様に適用され得る。このように、請求項は、ここに示される態様に限定されるように意図されたものではなく、請求項の文言と一貫する最大範囲であると認められるべきであり、ここにおいて、単数における要素の参照は、そのように明確に述べられていない限りは「１つ及び１つのみ」を意味するのではなく、むしろ「１つ又は複数」を意味するように意図される。そうでないと具体的に記載されない限り、「何らかの／いくつかの」という用語は、１つ又は複数を指す。当業者に周知の、又は後に周知となる、本開示を通して記述される様々な態様の要素と構造的及び機能的に同等な物は全て、参照によって本明細書に明確に組み込まれ、特許請求の範囲に包含されるよう意図される。更に、本明細書で開示されたものが、特許請求の範囲の中に明示的に記載されているか否かに関わらず、公に捧げられることを意図していない。要素が「〜のための手段」という表現を使用して明確に列挙されない限り、どの特許請求の範囲の要素もミーンズプラスファンクションとして解釈されるべきではない。
以下に本件出願当初の特許請求の範囲に記載された発明を付記する。
［１］  電力管理装置の動作のためのエネルギー要求を決定すること、前記電力管理装置の動作のための前記エネルギー要求を第１の電源装置の能力と比較すること、前記エネルギー要求が前記第１の電源装置の前記エネルギー要求より大きい場合、より高い容量の第２の電源装置にエネルギー配送を切替えることと、を備える、電力管理装置の駆動容量を拡張する方法。
［２］  前記第１の電源装置は、前記第２の電源装置が作動されると不作動となる、［１］の方法。
［３］  前記第２の電源装置は、頻繁な切替が要求されるとき低電圧レベルでスタンバイモードに保持される、［１］の方法。
［４］  前記第２の電源装置が前記負荷のための前記出力電流を供給する、［１］の方法。
［５］  エネルギー配送を切り換えることは、より高い容量の前記第２の電源装置が前記電力管理装置の出力電圧に達するときに開始する、［１］の方法。
［６］  エネルギー配送を切り換えることは、前記第２の電源装置が負荷に全ての電流を供給する時に終了する、［５］の方法。
［７］  前記第２の電源装置が前記電力管理装置によって制御される、［１］の方法。
［８］  第１の電源装置と、前記第１の電源装置に並列接続された第２の電源装置と、前記第１の電源装置に接続している第１のインダクタ及び前記第１のインダクタに接続しているキャパシタと、前記第２の電源装置に接続している第２のインダクタ及び前記第２のインダクタに接続しているキャパシタと、を備える、電力管理装置の駆動容量を拡張する装置。
［９］  前記キャパシタは前記電圧出力ノードでの共通キャパシタである、［８］の装置。
［１０］  前記第１及び第２の電源装置はバックレギュレイターである、［８］の装置。
［１１］  電力管理装置の動作のためのエネルギー要求を決定するための手段と、前記電力管理装置の動作のためのエネルギー要求を第１の電源装置の能力と比較するための手段と、前記エネルギー要求が前記第１の電源装置の前記エネルギー要求より大きい場合、より高い容量の第２の電源装置にエネルギー配送を切替えるための手段と、を備える、電力管理装置の駆動容量を拡張する装置。
［１２］  エネルギー配送を切替えるための前記手段は、前記第２の電源装置が一度作動されると前記電力管理装置を不作動にするための手段を含む、［１１］の装置。
［１３］  頻繁な切換えが必要とされるとき低電圧レベルでスタンバイモードに前記第２の電源装置を保持するための手段を更に備える、［１１］の装置。
［１４］  エネルギー配送を切換えるための前記手段は、より高い容量の前記第２の電源装置が前記電力管理装置の出力電圧に達すると開始する、［１１］の装置。
［１５］  エネルギー配送を切換えるための前記手段が電力管理装置によって制御される、［１１］の装置。
［１６］  プロセッサによって実行されると、前記プロセッサに電力管理装置の動作のためのエネルギー要求を決定することと、前記電力管理装置の動作のための前記エネルギー要求を第１の電源装置の能力と比較することと、前記エネルギー要求が前記第１の電源装置の前記エネルギー要求より大きい場合、より高い容量の第２の電源装置にエネルギー配送を切替えることと、のステップを実行させる命令を含む非一時的コンピュータ可読媒体。
［１７］  前記第２の電源装置が一度作動されると、前記電力管理装置を不作動にするための命令を更に含む、［１６］の非一時的コンピュータ可読媒体。
［１８］  頻繁な切替が要求されるとき低電圧レベルで前記第２の電源装置がスタンバイモードに保持されることを維持するための命令を更に含む、［１６］の非一時的コンピュータ可読媒体。
［１９］  より高い容量の前記第２の電源装置が前記電力管理装置の出力電圧に達するときに切替エネルギー配送を開始するための命令を更に含む、［１６］の非一時的コンピュータ可読媒体。
［２０］  前記第２の電源装置が負荷に全ての電流を供給するとエネルギー配送を切替えることを終了する命令を更に含む、［１６］の非一時的コンピュータ可読媒体。
［２１］  前記電力管理装置によって前記第２の電源装置を制御するための命令を更に含む、［１６］の非一時的コンピュータ可読媒体。
【要約】  電力管理装置の駆動容量を拡張するための方法及び装置が提供される。方法は、電力管理装置の動作のためのエネルギー要求を決定することを含む。次に、方法は電力管理装置の動作のためのエネルギー要求を第１の電源装置の能力と比較する。エネルギー要求が第１の電源装置のエネルギー要求より大きい場合、エネルギーはより高い容量の第２の電源装置に切替えられる。装置は第１の電源装置と、第１の電源装置と並列接続される第２の電源装置と、第１の電源装置に接続される第１のインダクタ及び第１のインダクタに接続しているキャパシタと、第２の電源装置に接続される第２のインダクタ及び第２のインダクタに接続されるキャパシタと、を含む。
【選択図】      図２【図１】
0005912010.tif 000002
【図２】
0005912010.tif 000003
【図３】
0005912010.tif 000004
【図４】
0005912010.tif 000005